【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
３Ｄアドバンストビデオコーディング（３Ｄ−ＡＶＣ）に対するビデオデータを復号する方法であって、
従属ビューのテクスチャ優先のコーディングを用いて生成された３Ｄ−ＡＶＣ準拠ビデオコーディングプロセスにおいてコーディングされたビットストリームを受信することと、
前記３Ｄ−ＡＶＣ準拠ビデオコーディングプロセスにおいて前記従属ビューのうちの１つの従属ビューのテクスチャビュー成分を復号することと、ここにおいて、前記テクスチャビュー成分を復号することは、
第１の時間的ピクチャを選択すること、ここにおいて、前記第１の時間的ピクチャは、第１の参照ピクチャリストの第１のエントリにおいて識別されたピクチャを備える、
第２の時間的ピクチャを選択すること、ここにおいて、前記第２の時間的ピクチャは、第２の参照ピクチャリストの第１のエントリにおいて識別されたピクチャを備える、
現在のマクロブロックのうちの少なくとも１つの隣接ブロックが、前記従属ビュー以外のビュー内のビュー間参照ピクチャを指す視差動きベクトルを用いてビュー間予測されるかどうかを決定するために前記テクスチャビュー成分内の前記現在のマクロブロックの１つまたは複数の隣接ブロックの動き情報を評価すること、ここにおいて、前記１つまたは複数の隣接ブロックは、空間的隣接ブロックと、前記第１の選択された時間的ピクチャまたは前記第２の選択された時間的ピクチャのうちの少なくとも一方における少なくとも１つの時間的隣接ブロックとを備える、
ここにおいて、前記現在のマクロブロックの前記１つまたは複数の隣接ブロックの前記動き情報を評価することは、
前記現在のマクロブロックの１つまたは複数の空間的隣接ブロックを評価する前に、前記現在のマクロブロックの少なくとも１つの時間的隣接ブロックが前記視差動きベクトルを用いてビュー間予測されるかどうかを決定するために、２つまでだけの時間的ピクチャにおける前記現在のマクロブロックの１つまたは複数の時間的隣接ブロックを評価することを備え、ここにおいて、前記少なくとも１つの時間的隣接ブロックは、前記２つの時間的ピクチャのうちの１つにおいて存在し、前記２つの時間的ピクチャは、第１の時間的ピクチャと第２の時間的ピクチャを備え、前記第１の時間的ピクチャは、第１の参照ピクチャリストの第１のエントリにおいて識別されたピクチャを備え、前記第２の時間的ピクチャは、第２の参照ピクチャリストの第１のエントリにおいて識別されたピクチャを備える、
前記評価された隣接ブロックのうちの１つに対する前記視差動きベクトルに基づいて前記現在のマクロブロックブロックに対する視差ベクトルを導出すること、および
前記導出された視差ベクトルを前記現在のマクロブロック内の各ブロックに割り当てることを備える、
前記テクスチャビュー成分を復号することに続いて前記テクスチャビュー成分に対応する深度ビュー成分を復号することとを備える、方法。
【請求項２】
前記視差ベクトルを導出するために前記深度ビュー成分を使用することなく、前記導出された視差ベクトルを利用して１つまたは複数のコーディングツールを実装することをさらに備える、請求項１に記載の方法。
【請求項３】
動き情報を評価することが、
前記現在のマクロブロックの前記少なくとも１つの隣接ブロックが前記視差動きベクトルを用いてビュー間予測されるかどうかを決定するために、２つの参照ピクチャリストのうちの前記第１の参照ピクチャリストを指す動きベクトルを有する、前記現在のマクロブロックの、前記１つまたは複数の隣接ブロックだけの動き情報を評価することと、
前記現在のマクロブロックの少なくとも１つの隣接ブロックが前記視差動きベクトルを用いてビュー間予測されるかどうかを決定するために、前記２つの参照ピクチャリストのうちの前記第２の参照ピクチャリストを指す動きベクトルを有する、前記現在のマクロブロックの、前記１つまたは複数の隣接ブロックの動き情報の前記評価を回避することとを備える、請求項１に記載の方法。
【請求項４】
１つまたは複数の時間的隣接ブロック動き情報を評価することが、
前記第１の選択された時間的ピクチャまたは前記第２の選択された時間的ピクチャの少なくとも一方の中の１つの右下ブロックだけに対する動き情報を評価することを備え、前記右下ブロックが、前記現在のマクロブロックの下部の右側の位置で、前記第１の選択された時間的ピクチャまたは前記第２の選択された時間的ピクチャの前記少なくとも一方の中に位置するブロックを備える、請求項１に記載の方法。
【請求項５】
動き情報を評価することが、
１つまたは複数の時間的隣接ブロックを評価した後、最大４つまでの空間的隣接ブロックの動き情報を評価することをさらに備える、請求項１に記載の方法。
【請求項６】
前記４つの空間的隣接ブロックのうちの３つが、Ｈ．２６４／ＡＶＣビデオコーディング規格における動き予測のために使用されるのと同じ隣接ブロックを備える、請求項５に記載の方法。
【請求項７】
前記４つの空間的隣接ブロックが、
前記現在のマクロブロックの左に位置するブロックと、前記現在のマクロブロックの上に位置するブロックと、前記現在のマクロブロックの左上に位置するブロックと、前記現在のマクロブロックの右上に位置するブロックとを備える、請求項５に記載の方法。
【請求項８】
視差ベクトルを導出することが、
前記視差ベクトルの水平成分を、前記視差動きベクトルの水平成分に等しく設定することと、
前記視差ベクトルの垂直成分をゼロに等しく設定することとを備える、請求項１に記載の方法。
【請求項９】
３Ｄアドバンストビデオコーディング（３Ｄ−ＡＶＣ）に対するビデオデータを符号化する方法であって、
３Ｄ−ＡＶＣ準拠ビデオコーディングプロセスにおいて従属ビューのテクスチャビュー成分を符号化することと、ここにおいて、前記テクスチャビュー成分を符号化することは、
第１の時間的ピクチャを選択すること、ここにおいて、前記第１の時間的ピクチャは、第１の参照ピクチャリストの第１のエントリにおいて識別されたピクチャを備える、
第２の時間的ピクチャを選択すること、ここにおいて、前記第２の時間的ピクチャは、第２の参照ピクチャリストの第１のエントリにおいて識別されたピクチャを備える、
現在のマクロブロックの少なくとも１つの隣接ブロックが、前記従属ビュー以外のビュー内のビュー間参照ピクチャを指す視差動きベクトルを用いてビュー間予測されるかどうかを決定するために前記テクスチャビュー成分内の前記現在のマクロブロックの１つまたは複数の隣接ブロックの動き情報を評価すること、ここにおいて、前記１つまたは複数の隣接ブロックは、空間的隣接ブロックと、前記第１の選択された時間的ピクチャまたは前記第２の選択された時間的ピクチャのうちの少なくとも一方における少なくとも１つの時間的隣接ブロックとを備える、
ここにおいて、前記現在のマクロブロックの前記１つまたは複数の隣接ブロックの前記動き情報を評価することは、
前記現在のマクロブロックの１つまたは複数の空間的隣接ブロックを評価する前に、前記現在のマクロブロックの少なくとも１つの時間的隣接ブロックが前記視差動きベクトルを用いてビュー間予測されるかどうかを決定するために、２つまでだけの時間的ピクチャにおける前記現在のマクロブロックの１つまたは複数の時間的隣接ブロックを評価することを備え、ここにおいて、前記少なくとも１つの時間的隣接ブロックは、前記２つの時間的ピクチャのうちの１つにおいて存在し、前記２つの時間的ピクチャは、第１の時間的ピクチャと第２の時間的ピクチャを備え、前記第１の時間的ピクチャは、第１の参照ピクチャリストの第１のエントリにおいて識別されたピクチャを備え、前記第２の時間的ピクチャは、第２の参照ピクチャリストの第１のエントリにおいて識別されたピクチャを備える、
前記評価された隣接ブロックのうちの１つに対する前記視差動きベクトルに基づいて前記現在のマクロブロックブロックに対する視差ベクトルを導出すること、および
前記導出された視差ベクトルを前記現在のマクロブロック内の各ブロックに割り当てることを備える、
前記テクスチャビュー成分を符号化することに続いて前記テクスチャビュー成分に対応する深度ビュー成分を符号化することと、
前記符号化されたテクスチャビュー成分と前記符号化された深度ビュー成分とを含む従属ビューのテクスチャ優先のコーディングを用いてコーディングされたビットストリームを出力のために生成することと備える、方法。
【請求項１０】
前記視差ベクトルを導出するために前記深度ビュー成分を使用することなく、前記導出された視差ベクトルを利用して１つまたは複数のコーディングツールを実装することをさらに備える、請求項９に記載の方法。
【請求項１１】
動き情報を評価することが、
前記現在のマクロブロックの少なくとも１つの隣接ブロックが前記視差動きベクトルを用いてビュー間予測されるかどうかを決定するために、２つの参照ピクチャリストのうちの前記第１の参照ピクチャリストを指す動きベクトルを有する前記現在のマクロブロックの前記１つまたは複数の隣接ブロックだけの動き情報を評価することと、
前記現在のマクロブロックの少なくとも１つの隣接ブロックが前記視差動きベクトルを用いてビュー間予測されるかどうかを決定するために、前記２つの参照ピクチャリストのうちの前記第２の参照ピクチャリストを指す動きベクトルを有する前記現在のマクロブロックの前記１つまたは複数の隣接ブロックの動き情報の前記評価を回避することとを備える、請求項９に記載の方法。
【請求項１２】
１つまたは複数の時間的隣接ブロック動き情報を評価することが、
前記第１の選択された時間的ピクチャまたは前記第２の選択された時間的ピクチャの少なくとも一方の中の１つの右下ブロックだけに対する動き情報を評価することを備え、前記右下ブロックが、前記現在のマクロブロックの下部の右側の位置で、前記第１の選択された時間的ピクチャまたは前記第２の選択された時間的ピクチャの前記少なくとも一方の中に位置するブロックを備える、請求項９に記載の方法。
【請求項１３】
動き情報を評価することが、
１つまたは複数の時間的隣接ブロックを評価した後、最大４つまでの空間的隣接ブロックの動き情報を評価することを備える、請求項９に記載の方法。
【請求項１４】
前記４つの空間的隣接ブロックのうちの３つが、Ｈ．２６４／ＡＶＣビデオコーディング規格における動き予測のために使用されるのと同じ隣接ブロックを備える、請求項１３に記載の方法。
【請求項１５】
前記４つの空間的隣接ブロックが、
前記現在のマクロブロックの左に位置するブロックと、前記現在のマクロブロックの上に位置するブロックと、前記現在のマクロブロックの左上に位置するブロックと、前記現在のマクロブロックの右上に位置するブロックとを備える、請求項１３に記載の方法。
【請求項１６】
視差ベクトルを導出することが、
前記視差ベクトルの水平成分を前記視差動きベクトルの水平成分に等しく設定することと、
前記視差ベクトルの垂直成分をゼロに等しく設定することとを備える、請求項９に記載の方法。
【請求項１７】
３Ｄアドバンストビデオコーディング（３Ｄ−ＡＶＣ）に対するビデオデータを符号化するためのデバイスであって、
ビデオデータを記憶するように構成されたメモリと、
ビデオエンコーダとを備え、前記ビデオエンコーダが、１つまたは複数のプロセッサを備え、および
３ＤＡＶＣ準拠ビデオコーディングプロセスにおいて、前記ビデオデータの従属ビューのテクスチャビュー成分を符号化することと、ここにおいて、前記テクスチャビュー成分を符号化するために、前記ビデオエンコーダが、
少なくとも１つの隣接ブロックが、前記従属ビュー以外のビュー内でビュー間参照ピクチャを指す視差動きベクトルを用いてビュー間予測されるかどうかを決定するために、２つの参照ピクチャリストのうちの第１の参照ピクチャリストを指す動きベクトルを有する前記テクスチャビュー成分内の現在のマクロブロックの１つまたは複数の隣接ブロックだけの動き情報を評価し、前記２つの参照ピクチャリストのうちの第２の参照ピクチャリストを指す動きベクトルを有する前記現在のマクロブロックの隣接ブロックの動き情報を評価することを回避すること、および
前記評価された隣接ブロックのうちの１つに対する前記視差動きベクトルに基づいて前記現在のマクロブロックに対する視差ベクトルを導出すること、
前記導出された視差ベクトルを前記現在のマクロブロック内の各ブロックに割り当てることを行うように構成される、
前記テクスチャビュー成分を符号化することに続いて、前記テクスチャビュー成分に対応する、前記ビデオデータの深度ビュー成分を符号化することとを行うように構成される、デバイス。
【請求項１８】
前記ビデオエンコーダが、前記ビデオエンコーダによって符号化された前記テクスチャビュー成分を含み、前記ビデオエンコーダによって符号化された前記深度ビュー成分を含む従属ビューの、テクスチャ優先のコーディングを用いてコーディングされたビットストリームを出力のために生成するように構成される、請求項１７に記載のデバイス。
【請求項１９】
前記テクスチャビュー成分を符号化するために、前記ビデオエンコーダが、
第１の時間的ピクチャを選択することと、ここにおいて、前記第１の時間的ピクチャは、前記第１の参照ピクチャリストの第１のエントリにおいて識別されたピクチャを備える、
第２の時間的ピクチャを選択することと、ここにおいて、前記第２の時間的ピクチャは、前記第２の参照ピクチャリストの第１のエントリにおいて識別されたピクチャを備える、を行うように構成され、
動き情報を評価するために、前記ビデオコーダが、前記第１の参照ピクチャリストを指す少なくとも１つのブロックに対する動きベクトルに基づいて、前記第１の時間的ピクチャまたは前記第２の時間的ピクチャの少なくとも一方の中の前記少なくとも１つのブロックの動き情報を評価するように構成される、請求項１７に記載のデバイス。
【請求項２０】
動き情報を評価するために、前記ビデオエンコーダが、
第１の選択された時間的ピクチャまたは第２の選択された時間的ピクチャの少なくとも一方の中の１つの右下ブロックだけに対する動き情報を評価するように構成され、前記右下ブロックが、前記現在のマクロブロックの下部の右側の位置で、前記第１の選択された時間的ピクチャまたは前記第２の選択された時間的ピクチャの前記少なくとも一方の中に位置するブロックを備える、請求項１９に記載のデバイス。
【請求項２１】
動き情報を評価するために、前記ビデオエンコーダが、
最大４つまでの空間的隣接ブロックの動き情報を評価するように構成される、請求項１７に記載のデバイス。
【請求項２２】
前記４つの空間的隣接ブロックのうちの３つが、Ｈ．２６４／ＡＶＣビデオコーディング規格における動き予測のために使用されるのと同じ隣接ブロックを備える、請求項２１に記載のデバイス。
【請求項２３】
前記４つの空間的隣接ブロックが、
前記現在のマクロブロックの左に位置するブロックと、前記現在のマクロブロックの上に位置するブロックと、前記現在のマクロブロックの左上に位置するブロックと、前記現在のマクロブロックの右上に位置するブロックとを備える、請求項２１に記載のデバイス。
【請求項２４】
視差ベクトルを導出するために、前記ビデオエンコーダが、
前記視差ベクトルの水平成分を前記視差動きベクトルの水平成分に等しく設定することと、
前記視差ベクトルの垂直成分をゼロに等しく設定することとを行うように構成される、請求項１７に記載のデバイス。
【請求項２５】
ワイヤレス通信デバイスを備える、請求項１７に記載のデバイス。
【請求項２６】
その上に記憶された命令を有するコンピュータ可読記憶媒体であって、前記命令が、実行されると、３Ｄアドバンストビデオコーディング（３Ｄ−ＡＶＣ）に対するビデオデータを符号化するためのデバイスのビデオエンコーダの１つまたは複数のプロセッサに、
前記３Ｄ−ＡＶＣ準拠ビデオコーディングプロセスにおいて従属ビューのうちの１つの前記従属ビューのテクスチャビュー成分を符号化することと、ここにおいて、前記１つまたは複数のプロセッサに前記テクスチャビュー成分を符号化させる前記命令は、前記１つまたは複数のプロセッサに、
少なくとも１つの隣接ブロックが、前記従属ビュー以外のビュー内でビュー間参照ピクチャを指す視差動きベクトルを用いてビュー間予測されるかどうかを決定するために、２つの参照ピクチャリストのうちの第１の参照ピクチャリストを指す動きベクトルを有する前記テクスチャビュー成分内の現在のマクロブロックの１つまたは複数の隣接ブロックだけの動き情報を評価し、前記２つの参照ピクチャリストのうちの第２の参照ピクチャリストを指す動きベクトルを有する前記現在のマクロブロックの隣接ブロックの動き情報を評価することを回避すること、および
前記評価された隣接ブロックのうちの１つに対する前記視差動きベクトルに基づいて前記現在のマクロブロックに対する視差ベクトルを導出すること、
前記導出された視差ベクトルを前記現在のマクロブロック内の各ブロックに割り当てることを行わせる命令を備える、
前記テクスチャビュー成分を符号化することに続いて前記テクスチャビュー成分に対応する深度ビュー成分を符号化することとを行わせる、コンピュータ可読記憶媒体。
【請求項２７】
前記１つまたは複数のプロセッサに、
第１の時間的ピクチャを選択することと、ここにおいて、前記第１の時間的ピクチャは、前記第１の参照ピクチャリストの第１のエントリにおいて識別されたピクチャを備える、
第２の時間的ピクチャを選択することと、ここにおいて、前記第２の時間的ピクチャは、前記第２の参照ピクチャリストの第１のエントリにおいて識別されたピクチャを備える、を行わせる命令をさらに備え、
前記１つまたは複数のプロセッサに動き情報を評価させる前記命令が、前記１つまたは複数のプロセッサに、前記第１の参照ピクチャリストを指す少なくとも１つのブロックに対する動きベクトルに基づいて、前記第１の時間的ピクチャまたは前記第２の時間的ピクチャの少なくとも一方の中の前記少なくとも１つのブロックの動き情報を評価させる命令を備える、請求項２６に記載のコンピュータ可読記憶媒体。
【請求項２８】
前記ビデオエンコーダの前記１つまたは複数のプロセッサに、
前記ビデオエンコーダによって符号化された前記テクスチャビュー成分を含み、前記ビデオエンコーダによって符号化された前記深度ビュー成分を含む従属ビューのテクスチャ優先のコーディングを用いてコーディングされたビットストリームを出力のために生成させる命令をさらに備える、請求項２６に記載のコンピュータ可読記憶媒体。
【請求項２９】
３Ｄアドバンストビデオコーディング（３Ｄ−ＡＶＣ）に対するビデオデータを復号するためのデバイスであって、
ビデオデータを記憶するように構成されたメモリと、
ビデオデコーダとを備え、前記ビデオデコーダが、１つまたは複数のプロセッサを備え、および
従属ビューのテクスチャ優先のコーディングを用いて生成された３Ｄ−ＡＶＣ準拠ビデオコーディングプロセスにおいてコーディングされたビットストリームを受信することと、
前記３Ｄ−ＡＶＣ準拠ビデオコーディングプロセスにおいて前記従属ビューのうちの１つの従属ビューのテクスチャビュー成分を復号することと、ここにおいて、前記テクスチャビュー成分を復号するために、前記ビデオデコーダが、
第１の時間的ピクチャを選択すること、ここにおいて、前記第１の時間的ピクチャは、第１の参照ピクチャリストの第１のエントリにおいて識別されたピクチャを備える、
第２の時間的ピクチャを選択すること、ここにおいて、前記第２の時間的ピクチャは、第２の参照ピクチャリストの第１のエントリにおいて識別されたピクチャを備える、
現在のマクロブロックのうちの少なくとも１つの隣接ブロックが、前記従属ビュー以外のビュー内のビュー間参照ピクチャを指す視差動きベクトルを用いてビュー間予測されるかどうかを決定するために前記テクスチャビュー成分内の前記現在のマクロブロックの１つまたは複数の隣接ブロックの動き情報を評価すること、ここにおいて、前記１つまたは複数の隣接ブロックは、空間的隣接ブロックと、前記第１の選択された時間的ピクチャまたは前記第２の選択された時間的ピクチャのうちの少なくとも一方における少なくとも１つの時間的隣接ブロックとを備える、
ここにおいて、前記現在のマクロブロックの前記１つまたは複数の隣接ブロックの前記動き情報を評価するために、前記ビデオデコーダが、
前記現在のマクロブロックの１つまたは複数の空間的隣接ブロックを評価する前に、前記現在のマクロブロックの少なくとも１つの時間的隣接ブロックが前記視差動きベクトルを用いてビュー間予測されるかどうかを決定するために、２つまでだけの時間的ピクチャにおける前記現在のマクロブロックの１つまたは複数の時間的隣接ブロックを評価するように構成され、ここにおいて、前記少なくとも１つの時間的隣接ブロックは、前記２つの時間的ピクチャのうちの１つにおいて存在し、前記２つの時間的ピクチャは、第１の時間的ピクチャと第２の時間的ピクチャを備え、前記第１の時間的ピクチャは、第１の参照ピクチャリストの第１のエントリにおいて識別されたピクチャを備え、前記第２の時間的ピクチャは、第２の参照ピクチャリストの第１のエントリにおいて識別されたピクチャを備える、
前記評価された隣接ブロックのうちの１つに対する前記視差動きベクトルに基づいて前記現在のマクロブロックブロックに対する視差ベクトルを導出すること、および
前記導出された視差ベクトルを前記現在のマクロブロック内の各ブロックに割り当てることを行うように構成される、
前記テクスチャビュー成分を復号することに続いて、前記テクスチャビュー成分に対応する深度ビュー成分を復号することとを行うように構成される、デバイス。
【請求項３０】
前記ビデオデコーダは、前記視差ベクトルを導出するために前記深度ビュー成分を使用することなく、前記導出された視差ベクトルを利用して１つまたは複数のコーディングツールを実装するように構成される、請求項２９に記載のデバイス。
【請求項３１】
動き情報を評価するために、前記ビデオデコーダが、
前記現在のマクロブロックの前記少なくとも１つの隣接ブロックが前記視差動きベクトルを用いてビュー間予測されるかどうかを決定するために、２つの参照ピクチャリストのうちの前記第１の参照ピクチャリストを指す動きベクトルを有する、前記現在のマクロブロックの、前記１つまたは複数の隣接ブロックだけの動き情報を評価し、
前記現在のマクロブロックの少なくとも１つの隣接ブロックが前記視差動きベクトルを用いてビュー間予測されるかどうかを決定するために、前記２つの参照ピクチャリストのうちの前記第２の参照ピクチャリストを指す動きベクトルを有する、前記現在のマクロブロックの、前記１つまたは複数の隣接ブロックの動き情報の前記評価を回避するように構成される、請求項２９に記載のデバイス。
【請求項３２】
１つまたは複数の時間的隣接ブロック動き情報を評価するために、前記ビデオコーダが、
前記第１の選択された時間的ピクチャまたは前記第２の選択された時間的ピクチャの少なくとも一方の中の１つの右下ブロックだけに対する動き情報を評価するように構成され、前記右下ブロックが、前記現在のマクロブロックの下部の右側の位置で、前記第１の選択された時間的ピクチャまたは前記第２の選択された時間的ピクチャの前記少なくとも一方の中に位置するブロックを備える、請求項２９に記載のデバイス。
【請求項３３】
動き情報を評価するために、前記ビデオデコーダは、
１つまたは複数の時間的隣接ブロックを評価した後、最大４つまでの動き情報を評価するように構成される、請求項２９に記載のデバイス。
【請求項３４】
前記４つの空間的隣接ブロックのうちの３つが、Ｈ．２６４／ＡＶＣビデオコーディング規格における動き予測のために使用されるのと同じ隣接ブロックを備える、請求項３３に記載のデバイス。
【請求項３５】
前記４つの空間的隣接ブロックが、
前記現在のマクロブロックの左に位置するブロックと、前記現在のマクロブロックの上に位置するブロックと、前記現在のマクロブロックの左上に位置するブロックと、前記現在のマクロブロックの右上に位置するブロックとを備える、請求項３３に記載のデバイス。
【請求項３６】
視差ベクトルを導出するために、前記ビデオデコーダが、
前記視差ベクトルの水平成分を、前記視差動きベクトルの水平成分に等しく設定することと、
前記視差ベクトルの垂直成分をゼロに等しく設定することとを行うように構成される、請求項２９に記載のデバイス。